(57)【要約】【課題】  新設又は既設を問わず勾配のある金属屋根に対して、水平状態で緑化植物の栽培を行なうことができ、且つその構造を極めて簡単にすること。【解決手段】  略方形状の床面部７を備えた植栽部支持体Ｂと、複数の屋根板材Ａ1 ，Ａ1 ，…同士が連結されて構成される金属屋根Ａと、隣接する前記屋根板材Ａ1 ，Ａ1 同士の幅方向端部同士が連結されると共に屋根勾配に沿って形成される連結継手部Ｔと、該連結継手部Ｔに適宜の間隔をおいて装着される支持具Ｃと、前記植栽部２６支持体Ｂに収納される植栽部２６とからなること。前記金属屋根Ａの連結継手部Ｔに装着された隣接する支持具Ｃ間に前記植栽部２６支持体Ｂの床面部７が略水平状となるようにして敷設されると共に、前記金属屋根Ａの勾配方向にて前記複数の植栽部２６支持体Ｂは略階段状に配置されてなること。【選択図】      図１
2006328773.tif 000002
【特許請求の範囲】
【請求項１】
略方形状の床面部を備えた植栽部支持体と、複数の屋根板材同士が連結されて構成される金属屋根と、隣接する前記屋根板材同士の幅方向端部同士が連結されると共に屋根勾配に沿って形成される連結継手部と、該連結継手部に適宜の間隔をおいて装着される支持具と、前記植栽部支持体に収納される植栽部とからなり、前記金属屋根の連結継手部に装着された隣接する支持具間に前記植栽部支持体の床面部が略水平状となるようにして敷設されると共に、前記金属屋根の勾配方向にて前記複数の植栽部支持体は略階段状に配置されてなることを特徴とする緑化屋根。
【請求項２】
請求項１において、前記支持具は通し支持部材と、前記金属屋根の連結継手部に固着される接合部材とからなり、前記通し支持部材はその長手方向に直交する幅方向における一方側に高位支持部が形成され、他方側に低位支持部が形成され、前記通し支持部材の長手方向を前記連結継手部に略直交させて前記接合部材に装着され、前記植栽部支持体の幅方向前方側は前記高位支持部上に配置固定されると共に後方側端部は前記低位支持部上に配置固定されてなることを特徴とする緑化屋根。
【請求項３】
請求項１又は２において、前記支持具の通し支持部材の高位支持部と低位支持部との段差は前記植栽部支持体の高さ方向寸法より小さくされ、且つ前記高位支持部及び低位支持部には、固定部材がそれぞれ具備され、前記植栽部支持体の幅方向両側が前記高位支持部及び低位支持部に載置される共に、前記高位支持部及び低位支持部と、前記固定部材によって前記植栽部支持体の幅方向両側が挟持状態で固着されてなることを特徴とする緑化屋根。
【請求項４】
請求項１又は２において、前記支持具の通し支持部材の高位支持部と低位支持部との段差は前記植栽部支持体の高さ方向寸法より大きくされ、且つ前記低位支持部から上方に適宜の間隔を有して挟持面が形成され、且つ前記高位支持部には、固定部材が具備され、前記植栽部支持体の幅方向後方側が低位支持部と挟持面との間に挿入される共に、前記植栽部支持体の幅方向前方側が低位支持部と、前記固定部材によって挟持状態で固着されてなることを特徴とする緑化屋根。
【請求項５】
請求項１，２，３又は４において、前記接合部材は、前記金属屋根の連結継手部を挟持固定する挟持部が設けられてなることを特徴とする緑化屋根。
【請求項６】
請求項１，２，３，４又は５において、前記金属屋根の屋根板材同士の連結継手部は、屋根板材に形成された被嵌合屈曲部と、対向する被嵌合屈曲部に嵌合するキャップ材とからなる嵌合継手部とし、前記キャップ材が挟持されるようにして接合部材が装着されてなることを特徴とする緑化屋根。
【請求項７】
請求項１，２，３，４又は５において、前記金属屋根の屋根板材同士の連結継手部は、屋根板材に形成された下馳部と上馳部とが馳締されてなる馳締部とし、該馳締部の首部箇所が挟持されるようにして支持具が装着されてなることを特徴とする緑化屋根。
【請求項８】
請求項１，２，３，４又は５において、前記金属屋根の屋根板材同士の連結継手部は、略垂直板状に形成される立馳締部とし、該立馳締部が挟持されるようにして支持具が装着されてなることを特徴とする緑化屋根。
【請求項９】
請求項１，２，３，４又は５において、前記金属屋根の屋根板材同士の連結継手部は、瓦棒部とし、該瓦棒部が挟持されるようにして支持具が装着されてなることを特徴とする緑化屋根。
【請求項１０】
請求項１において、前記金属屋根の屋根板材同士の連結継手部は、台形山形状の山形部同士が重合されたものとし、前記支持具は通し支持部材からなり、前記通し支持部材は重合された前記山形部同士の頂部から突出された固定用螺子具を介して前記山形部の頂部に装着されてなることを特徴とする緑化屋根。
【請求項１１】
請求項１，２，３，４，５，６，７，８，９又は１０において、前記植栽部支持体の床面部には、多数の水抜き孔が形成されてなることを特徴とする緑化屋根。
【請求項１２】
請求項１，２，３，４，５，６，７，８，９，１０又は１１において、前記金属屋根は、新設であることを特徴とする緑化屋根。
【請求項１３】
請求項１，２，３，４，５，６，７，８，９，１０又は１１において、前記金属屋根は、既設であることを特徴とする緑化屋根。
【請求項１４】
請求項１０において、前記重合される山形部からなる連結継手部の固定用螺子具箇所には、該固定用螺子具に螺合する内螺子が形成された円筒状のジョイント部材が設けられ、該ジョイント部材の頂部に前記通し支持部材が固着されてなることを特徴とする緑化屋根。
【発明の詳細な説明】
【技術分野】
【０００１】
本発明は、新設又は既設を問わず勾配のある金属屋根に対して、水平状態で緑化植物の栽培を行なうことができ、且つその構造を極めて簡単にすることができる緑化屋根に関する。
【背景技術】
【０００２】
近年、屋根上面を利用して植物，作物等の栽培が行われる緑化屋根の施工が増えている。特に、屋根上は、日当たり，風通し等の栽培に好適な条件が揃っており、このようなことから栽培に適している。また、緑化屋根は単に屋根を鮮やかにするだけでなく、植物の炭酸同化作用等により環境にも極めて良い影響を与えるもので、近年その緑化屋根が大いに奨励されている。このような緑化屋根は、その施工にはかなりの技術が必要であり、植物生育のための水分を必要とし、そのために湿ったマット材や土壌が敷設されるようにしたものが多く見受けられる。そして、適正量の水分が常時確保されるようにした緑化屋根が多く見受けられる。このようなものとして特許文献１が存在する。
【特許文献１】特開２０００−１７７９２
【発明の開示】
【発明が解決しようとする課題】
【０００３】
ところで、特許文献１に開示されている緑化屋根では、屋根の勾配に沿って、栽培用の土壌が屋根に盛り付けられ、しかも常時濡れているか、又は湿った状態である。したがって、上記特許文献１に類する緑化屋根では、水分は、その勾配の水上側から水下側に向かって水分が流れてしまうことになり、最下端の水下側に水分が集中してしまう。また、栽培領域ではその栽培領域の水上側から水下側の間に仕切板が設けられ、複数の栽培筺体が構成されるものであるが、このようにしても、各栽培筺体の水下側に水分が集中することになる。このように、栽培層に対して水分は均一に与えられず、水上側では、水分の量が不足し、枯れてしまうおそれがある。また、水下側では水分の量が多すぎて、根腐れ等の不都合が生じるおそれがある。本発明の目的は、極めて簡単に水平状の栽培層を構成することができる緑化屋根を施工することにある。
【課題を解決するための手段】
【０００４】
そこで、発明者は、上記課題を解決すべく、鋭意，研究を重ねた結果、請求項１の発明を、略方形状の床面部を備えた植栽部支持体と、複数の屋根板材同士が連結されて構成される金属屋根と、隣接する前記屋根板材同士の幅方向端部同士が連結されると共に屋根勾配に沿って形成される連結継手部と、該連結継手部に適宜の間隔をおいて装着される支持具と、前記植栽部支持体に収納される植栽部とからなり、前記金属屋根の連結継手部に装着された隣接する支持具間に前記植栽部支持体の床面部が略水平状となるようにして敷設されると共に、前記金属屋根の勾配方向にて前記複数の植栽部支持体は略階段状に配置されてなる緑化屋根としたことにより、上記課題を解決した。
【０００５】
次に、請求項２の発明は、前述の構成において、前記支持具は通し支持部材と、前記金属屋根の連結継手部に固着される接合部材とからなり、前記通し支持部材はその長手方向に直交する幅方向における一方側に高位支持部が形成され、他方側に低位支持部が形成され、前記通し支持部材の長手方向を前記連結継手部に略直交させて前記接合部材に装着され、前記植栽部支持体の幅方向前方側は前記高位支持部上に配置固定されると共に後方側端部は前記低位支持部上に配置固定されてなる緑化屋根としたことにより、上記課題を解決した。
【０００６】
請求項３の発明は、前述の構成において、前記支持具の通し支持部材の高位支持部と低位支持部との段差は前記植栽部支持体の高さ方向寸法より小さくされ、且つ前記高位支持部及び低位支持部には、固定部材がそれぞれ具備され、前記植栽部支持体の幅方向両側が前記高位支持部及び低位支持部に載置される共に、前記高位支持部及び低位支持部と、前記固定部材によって前記植栽部支持体の幅方向両側が挟持状態で固着されてなる緑化屋根としたことにより、上記課題を解決した。
【０００７】
請求項４の発明は、前述の構成において、前記支持具の通し支持部材の高位支持部と低位支持部との段差は前記植栽部支持体の高さ方向寸法より大きくされ、且つ前記低位支持部から上方に適宜の間隔を有して挟持面が形成され、且つ前記高位支持部には、固定部材が具備され、前記植栽部支持体の幅方向後方側が低位支持部と挟持面との間に挿入される共に、前記植栽部支持体の幅方向前方側が低位支持部と、前記固定部材によって挟持状態で固着されてなる緑化屋根としたことにより、上記課題を解決した。
【０００８】
請求項５の発明は、前述の構成において、前記接合部材は、前記金属屋根の連結継手部を挟持固定する挟持部が設けられてなる緑化屋根としたことにより、上記課題を解決した。また、請求項６の発明は、前述の構成において、前記金属屋根の屋根板材同士の連結継手部は、屋根板材に形成された被嵌合屈曲部と、対向する被嵌合屈曲部に嵌合するキャップ材とからなる嵌合継手部とし、前記キャップ材が挟持されるようにして接合部材が装着されてなる緑化屋根としたことにより、上記課題を解決した。
【０００９】
請求項７の発明は、前述の構成において、前記金属屋根の屋根板材同士の連結継手部は、屋根板材に形成された下馳部と上馳部とが馳締されてなる馳締部とし、該馳締部の首部箇所が挟持されるようにして支持具が装着されてなる緑化屋根としたことにより、上記課題を解決した。請求項８の発明は、前述の構成において、前記金属屋根の屋根板材同士の連結継手部は、略垂直板状に形成される立馳締部とし、該立馳締部が挟持されるようにして支持具が装着されてなる緑化屋根としたことにより、上記課題を解決した。
【００１０】
請求項９の発明は、前述の構成において、前記金属屋根の屋根板材同士の連結継手部は、瓦棒部とし、該瓦棒部が挟持されるようにして支持具が装着されてなる緑化屋根としたことにより、上記課題を解決した。請求項１０の発明は、前述の構成において、前記金属屋根の屋根板材同士の連結継手部は、台形山形状の山形部同士が重合されたものとし、前記支持具は通し支持部材からなり、前記通し支持部材は重合された前記山形部同士の頂部から突出された固定用螺子具を介して前記山形部の頂部に装着されてなる緑化屋根としたことにより、上記課題を解決した。請求項１１の発明は、前述の構成において、前記植栽部支持体の床面部には、多数の水抜き孔が形成されてなる緑化屋根としたことにより、上記課題を解決した。
【００１１】
請求項１２の発明は、前述の構成において、前記金属屋根は、新設である緑化屋根としたことにより、上記課題を解決した。請求項１３の発明は、前述の構成において、前記金属屋根は、既設である緑化屋根としたことにより、上記課題を解決した。請求項１４の発明は、前述の構成において、前記重合される山形部からなる連結継手部の固定用螺子具箇所には、該固定用螺子具に螺合する内螺子が形成された円筒状のジョイント部材が設けられ、該ジョイント部材の頂部に前記通し支持部材が固着されてなる緑化屋根としたことにより、上記課題を解決したものである。
【発明の効果】
【００１２】
請求項１の発明は、金属屋根の屋根勾配に対して、植栽部支持体の床面部を水平状にすることにより、植栽部の育成に必要な水分を植栽部支持体の床面部全域に亘って、略均一に供給することができる。これによって、植栽部を略均一に育成させることができる。また、水分が特定方向に流れて溜まってしまうことがないので、根腐れを防止することができると共に、床面部の他の箇所に水分不足が生じることも防止できる。また、複数の植栽部支持体が水下側と水上側との間にて階段状に敷設される構成としたことにより、植栽部支持体の床面部を水平状に配置することが極めて容易にできるものである。また、前記植栽部支持体を金属屋根に装着する支持具は、隣接する屋根板材同士から構成される連結継手部を利用するものであり、金属屋根に何ら加工を施すことなく、植栽部支持体を簡単且つ効率的に設置することができる。
【００１３】
請求項２の発明は、前記支持具の通し支持部材はその長手方向に直交する幅方向にて、その一方側に高位支持部が形成され、他方側に低位支持部が形成されたものである。そして、前記通し支持部材の長手方向を前記連結継手部に略直交させて前記接合部材に装着することによって、前記植栽部支持体の幅方向前方側を前記高位支持部上に配置固定し、後方側端部は前記低位支持部上に配置固定することにより、植栽部支持体の床面部を極めて簡単な構成にて略水平状に設定することができ、施工を容易にすることができるものである。
【００１４】
請求項３の発明は、前記支持具の通し支持部材の高位支持部及び低位支持部にそれぞれ固定部材を具備させたものである。そして、前記植栽部支持体の幅方向両側を前記高位支持部及び低位支持部に載置して、前記高位支持部及び低位支持部と、前記固定部材によって前記植栽部支持体の幅方向両側が挟持状態で固着される構造としている。したがって、その隣接する植栽部支持体同士の段差の量が縦立上り側部の高さ寸法より小さく、上下方向に隣接する植栽部支持体の対向する一方側の立上り側部の上端と、他方側の立上り側部の下端とが上下方向に沿って重なる状態で階段状に配置された場合であっても、上下方向に隣接する植栽部支持体同士が相互に干渉することなく、植栽部支持体を設置することができる。これによって、小さな緩勾配（緩傾斜）の金属屋根に対して、極めて好適な緑化屋根を施工することができる。
【００１５】
請求項４の発明は、前記支持具の通し支持部材の低位支持部から上方に適宜の間隔を有して挟持面が形成されている。また前記高位支持部には、固定部材が具備されたものである。これによって、前記植栽部支持体の幅方向後方側が低位支持部と挟持面との間に挿入される構造にすることができ、支持具への植栽部支持体の装着が容易であり、ひいては作業の効率性を向上させることができる。また、通し支持部材の幅方向前方側が低位支持部と、前記固定部材によって、前記植栽部支持体の後方縦立上り側部側を挟持状態で固着することができるものである。したがって、上下方向に隣接する植栽部支持体において、水下側に位置する植栽部支持体の後方縦立上り側部の上方に水上側に位置する植栽部支持体の前方縦立上り側部を位置させることができ、特に傾斜角度が大きく、通常勾配及び急勾配の金属屋根における緑化屋根の施工とした場合に極めて好適である。
【００１６】
次に、請求項５の発明は、前記支持具の接合部材には、前記金属屋根の連結継手部を挟持固定する挟持部が設けられたことにより、該挟持部を介して前記支持具を前記金属屋根の連結継手箇所に容易に装着することができ、支持具の連結継手部への装着作業を効率化させることができる。次に、請求項６乃至請求項９の発明は、支持具を連結継手箇所に極めて容易に装着することができる。次に、請求項１０の発明は、連結継手部は、台形山形状の山形部同士が重合されたものとし、前記支持具は通し支持部材からなり、前記通し支持部材は重合された前記山形部同士の頂部から突出された固定用螺子具を介して前記山形部の頂部に装着されたもので、支持具の通し支持部材を直接装着することができ、接合部材が不要であり、支持具を構成する部材を少なくして、支持具を連結継手部に設置することができるものである。
【００１７】
請求項１１の発明は、収納筺体における水抜きが容易に行われ、植栽部の根腐れを防止することができる。請求項１２の発明は、新設の金属屋根であるがゆえに、特に防水処理を施すことなく高い防水性を得ることができる。次に、請求項１３の発明は、既設の金属屋根の連結継手箇所に支持具を介して収納筺体を装着するのみで極めて簡単に緑化屋根を施工することができる。
【００１８】
請求項１４の発明は、前記固定用螺子具に螺合する内螺子が形成された円筒状のジョイント部材が連結継手部に設けられ、該ジョイント部材を介して支持部材が装着されるので、支持部材の装着が行ないやすくなり、作業効率を向上させることができると共に、通し支持部材と連結継手部との間にジョイント部材の高さ部分だけのスペースを設けることができ、空気の通りが良好になる利点も得ることができる。
【発明を実施するための最良の形態】
【００１９】
以下、本発明の実施形態を図面に基づいて説明する。まず、本発明は、主に金属屋根Ａ，植栽部支持体Ｂ，支持具Ｃ及び植栽部２６等から構成される。まず、金属屋根Ａは、既設或いは新設のいずれの場合も含まれる。その金属屋根Ａには、種々の種類が存在し、主に、折板タイプとフラットタイプとが存在する。そして、その折板タイプでは、断面が略台形山形状の山形部１と、平坦状の底部２とが交互に連続したものである〔図２，図１４，図１５（Ａ），図１６等参照〕。金属屋根Ａは、複数の屋根板材Ａ1 ，Ａ1 ，…が並設され、その隣接する屋根板材Ａ1 ，Ａ1 同士の端部が連結されて、連結継手部Ｔを構成して金属屋根Ａが施工される。その連結継手部Ｔは、前記山形部１によって構成される場合が多い。
【００２０】
前記金属屋根Ａと前記植栽部支持体Ｂとの間には、空隙部Ｓが存在している。すなわち、金属屋根Ａを構成する屋根板材Ａ1 ，Ａ1 ，…の隣接する山形部１，１同士が連結されてなる連結継手部Ｔ上に支持具Ｃを介して、植栽部支持体Ｂが支持されるので、金属屋根Ａと植栽部支持体Ｂとの間には空隙部Ｓが生じるものである（図１４参照）。この空隙部Ｓの存在により、スコップ、ショベル等で強く土壌層を堀り、それが植栽部支持体Ｂの底部分に当たっても、金属屋根Ａを構成する屋根板材Ａ1 ，Ａ1 ，…に突き当たることがなく、該屋根板材Ａ1 を傷めることない。そのために、スコップやショベル等の器具を安心して使用し、穴堀等の作業を行なうことができるものである。
【００２１】
次に、植栽部支持体Ｂは、図１乃至図４に示すように、前記金属屋根Ａ上に敷設されるものであり、（後述する）植栽部２６を収納配置する役目をなすものである。前記植栽部支持体Ｂは、図２２に示すように、略筺体としたもので、床面部７を備え、該床面部７とその前後方向及び幅方向両端に立上り側部が形成されている。その前後方向の立上り側部において、一方側の縦立上り側部が前方縦立上り側部８ａであり、他方側の縦立上り側部が後方縦立上り側部８ｂである。
【００２２】
その前方縦立上り側部８ａとは、前記植栽部支持体Ｂが金属屋根Ａ上に適正な状態で載置されたときに、その金属屋根Ａの水下側に向かう側のことであり、また後方縦立上り側部８ｂとは、その金属屋根Ａの水上側に向かう側のことである（図１，図３，図４等参照）。前記床面部７の長手方向両端には横立上り側部９，９が形成されたもので、略長方形状の筺体として形成されたものである。なお、前記植栽部支持体Ｂは、長手方向が前後方向よりも長く形成されたものであるが、必ずしもこれに限定されるものではなく、植栽部支持体Ｂの前後方向が長手方向よりも長く形成されるものであっても構わない。
【００２３】
その植栽部支持体Ｂは、前記金属屋根Ａに配置される場合に、後述する支持具Ｃを介して、その植栽部支持体Ｂの長手方向が勾配方向（連結継手部Ｔの形成方向に等しい）に直交するものであり、前記前方縦立上り側部８ａと後方縦立上り側部８ｂとがその勾配方向に直交することになる（図２，図３参照）。そして、前記前方縦立上り側部８ａは、勾配方向の水下側に位置し、また後方縦立上り側部８ｂは、勾配方向の水上側に位置する（図２，図３参照）。また、前記植栽部支持体は、金属板を適宜に折曲するプレス加工筺体として形成されたり、アルミニウム材の引抜き又は押出しによる成形材を適宜に組み合わせて形成されることもある。さらに、前記植栽部支持体Ｂは、合成樹脂にて形成されるトレータイプとしたものも存在する（図１９参照）。これらの植栽部支持体Ｂの床面部７には、水抜き孔ｈ，ｈ，…が多数形成されることもあり、前記植栽部２６を育成する水分が過剰に溜まって根腐れすることを防止するものである。
【００２４】
次に、支持具Ｃは、図１乃至図４等に示すように、前記金属屋根Ａの連結継手部Ｔに装着され、前記植栽部支持体Ｂを金属屋根Ａに配置固着する役目をなすものである。その支持具Ｃは、金属材から形成されたものであり、図１，図３，図４，図７等に示すように、通し支持部材Ｃ1 と接合部材Ｃ2 とから構成される。さらに、前記通し支持部材Ｃ1 は、その用途に応じてさらに２つの実施形態が存在する。その第１実施形態のものは、前記金属屋根Ａの屋根勾配が緩勾配（緩傾斜）の金属屋根に適用されるものである（図１乃至図３等参照）。また第２実施形態のものは、前記金属屋根Ａが屋根勾配が通常勾配（通常傾斜）又は急勾配（急傾斜）の金属屋根Ａに適用されるものである（図８乃至図１０等参照）。
【００２５】
なお、前記緩勾配（緩傾斜）とは、勾配（３／１００）程度である。さらに前記通常勾配（通常傾斜）とは、勾配（５／１００）程度であり、さらに急勾配（急傾斜）はそれ以上の勾配となる。その通し支持部材Ｃ1 は、前記植栽部支持体Ｂを金属屋根Ａ上に配置する役目をなし、また前記接合部材Ｃ2 は、前記通し支持部材Ｃ1 を前記連結継手部Ｔ上に接合させる役目をなすものである。その前記通し支持部材Ｃ1 は、図２，図５に示すように、その長手方向に沿って長尺な部材である。
【００２６】
まず、前記通し支持部材Ｃ1 の第１実施形態は、図３乃至図５及び図７に示すように、高位支持部１０と低位支持部１１とから構成される。その前記高位支持部１０には、図５，図７に示すように、高位受面部１０ａが形成され、前記低位支持部１１には低位受面部１１ａが形成されている。この高位受面部１０ａと低位受面部１１ａには、前記植栽部支持体Ｂが載置される部位である（図３，図４，図６等参照）。その高位受面部１０ａと低位受面部１１ａとの段差（高低差）は、緩傾斜の屋根勾配及び前記植栽部支持体Ｂの寸法等によって決定するものであるが、通常はその段差（高低差）の量は小さく設定される。具体的には、その高位受面部１０ａと低位受面部１１ａとの高低差を段差寸法Ｈｃとし、前記植栽部支持体Ｂの立上り側部（横立上り側部９，前方縦立上り側部８ａ，後方縦立上り側部８ｂ）の高さの寸法を高さ寸法Ｈｂとすると、前記段差寸法Ｈｃは高さ寸法Ｈｂよりも小さく設定される。すなわち、（段差寸法Ｈｃ）＜（高さ寸法Ｈｂ）の大小関係となる（図４参照）。
【００２７】
この通し支持部材Ｃ1 を構成する前記高位支持部１０及び低位支持部１１は、適宜屈曲されて断面略方形状に形成される。具体的には、前記高位支持部１０は、高位受面部１０ａの幅方向両側より内側面部１０ｂ及び外側面部１０ｃが形成されている。その高位支持部１０の内側面部１０ｂと、前記低位支持部１１の内側面部１１ｂとは、対向している。さらに、該外側面部１０ｃの下端から略直角となるように、通し支持部材Ｃ1 の幅方向中心箇所に向かって底片部１０ｄが形成されている。
【００２８】
同様に前記低位支持部１１は、低位受面部１１ａの幅方向両側より内側面部１１ｂ及び外側面部１１ｃが形成され、さらに該外側面部１１ｃの下端から略直角となるように、通し支持部材Ｃ1 の幅方向中心箇所に向かって底片部１１ｄが形成されている。そして、前記底片部１０ｄ及び底片部１１ｄのそれぞれの内端縁は、前記連結底部１２を介して対向するように形成されている（図３乃至図６等参照）。また、前記連結底部１２，底片部１０ｄ及び底片部１１ｄは、略同一面上に揃うように形成されている。なお、上述した（通し支持部材Ｃ1 の）幅方向とは、前記長尺方向に対して平面上において直交する方向である（図５参照）。
【００２９】
そして、前記高位受面部１０ａと低位受面部１１ａは、平坦状の面として形成され、相互に隣接して形成されている。また、前記高位支持部１０と前記低位支持部１１との間は、平坦状の連結底部１２が形成されている。さらに、該連結底部１２には、図５（Ａ），図７（Ａ）に示すように、ボルト孔１２ａが形成されており、後述する螺子軸部１６ａが貫通するようになっている。そして、該連結底部１２が前記接合部材Ｃ2 に載置され、該接合部材Ｃ2 に設けられた螺子軸部１６ａとナット１６ｂからなる固定用螺子具１６を介して固着される〔図７（Ａ），（Ｂ）参照〕。
【００３０】
さらに、前記高位受面部１０ａ及び低位受面部１１ａには、長手方向に沿って所定間隔をおいて前記螺子軸１７ａ用の貫通孔１０ｅ及び貫通孔１１ｅがそれぞれの形成されている〔図５（Ａ）参照〕。そして、前記螺子軸１７ａがその貫通孔１０ｅ及び貫通孔１１ｅを挿通し、後述する固定部材１４がナット１７ｂを介して前記通し支持部材Ｃ1 に締め付け固定される構造となっている（図４参照）。
【００３１】
その固定部材１４は、前記通し支持部材Ｃ1 の高位支持部１０及び低位支持部１１に装着されるものであって、前記高位支持部１０及び低位支持部１１に対して、図４，図７等に示すように、別部材として具備されている。そして、その固定部材１４が前記高位受面部１０ａ及び前記低位受面部１１ａに載置された植栽部支持体Ｂの前後方向の端部箇所すなわち前方縦立上り側部８ａ箇所及び後方縦立上り側部８ｂ箇所を固定するのに使用される。その固定部材１４は、図５，図７（Ｂ）に示すように、固定押え片１４ａ、立上り片１４ｂ及び底片１４ｃとからなり、これらが断面略コ字形状をなしている。
【００３２】
この固定部材１４は、図５（Ｂ）に示すように、前記通し支持部材Ｃ1 と同様に長手方向に長尺な部材であり、前記固定押え片１４ａには、前記貫通孔１４ｄが形成されている。そして、前記植栽部支持体Ｂの前後方向端部を前記高位受面部１０ａと固定押え片１４ａとで挟持するようにして、その固定部材１４の底片１４ｃが高位受面部１０ａに載置され、前記貫通孔１０ｅ及び貫通孔１４ｄに前記螺子軸１７ａが貫通し、ナット１７ｂで前記高位受面部１０ａに固着される。
【００３３】
また、前記低位支持部１１側における固定部材１４も同様にして、該固定部材１４の底片１４ｃが低位支持部１１ａに載置され、前記貫通孔１１ｅ及び貫通孔１４ｄに前記螺子軸１７ａが貫通し、ナット１７ｂで前記低位支持部１１ａに固着される〔図４，図７（Ｂ）参照〕。なお前記固定部材１４の底片１４ｃは、前記高位受面部１０ａ及び低位受面部１１ａにそれぞれ載置されるが、前記螺子軸１７ａと干渉しないようにするために、その底片１４ｃの幅方向寸法を短くしたり、或いは螺子軸１７ａの挿通孔や切欠を形成することもある。
【００３４】
次に、前記通し支持部材Ｃ1 の第２実施形態としては、図８乃至図１３に示すように、前記金属屋根Ａが急勾配としたものに対応するものであり、前述の第１実施形態の通し支持部材Ｃ1 と同様に、高位支持部１０と低位支持部１１とから構成されている。前記高位支持部１０及び低位支持部１１は、図１０乃至図１２に示すように、それぞれ角形の中空筺体状に形成されたものであり、さらに具体的には、前記高位支持部１０と低位支持部１１は、断面略四角管形状に形成されたものである。その高位支持部１０には高位受面部１０ａが形成され、前記低位支持部１１には低位受面部１１ａが存在する〔図１１（Ｂ），図１２（Ａ）参照〕。
【００３５】
その高位受面部１０ａと低位受面部１１ａとの段差（高低差）は、急傾斜の屋根勾配及び前記植栽部支持体の寸法等によって決定されるものであるが、その段差の量は、大きく設定される。具体的には、その段差寸法Ｈｃ（高位受面部１０ａと低位受面部１１ａとの高低差）は前記植栽部支持体Ｂの立上り側部（横立上り側部９，前方縦立上り側部８ａ，後方縦立上り側部８ｂ）の高さ寸法Ｈｂよりも大きく設定される。すなわち、段差寸法Ｈｃ＞高さ寸法Ｈｂである〔図１１（Ｂ）参照〕。
【００３６】
また、高位支持部１０の下端から下方位置には、図１１（Ｂ），図１２（Ａ）に示すように、側壁部１３が形成されている。該側壁部１３によって、前記高位支持部１０が低位支持部１１よりも高い位置に設定されるものである。その側壁部１３は、前記高位支持部１０及び低位支持部１１と同様に中空筺体状に形成されたものである。前記高位支持部１０の頂部は、平坦状に形成された面に形成された高位受面部１０ａである。その高位支持部１０の下端且つ裏面側の位置には、挟持面１５が形成されている〔図１１（Ｂ），図１２（Ａ）参照〕。該挟持面１５は、高位支持部１０の下方部分が前記側壁部１３の前縁側面１３ａから水下側方向に向かって略水平状に形成されたものである。なお、上記前縁側面１３ａとは、その通し支持部材Ｃ1 が連結継手部Ｔに対して、適正に装着された状態で、屋根勾配の常時水下側に向いている側のことである〔図１１（Ｂ）において側壁部１３の左側となる〕。
【００３７】
この挟持面１５と前記低位受面部１１ａとは、略平行な面同士となる。そして、前記挟持面１５は、後述するように、前記低位受面部１１ａと共に前記植栽部支持体Ｂの水上側端部を挟持するようにして支持する役目をなす。また、前記側壁部１３と低位支持部１１との間には、前記連結底部１２が形成される。該連結底部１２は前記側壁部１３の底部及び低位支持部１１の底部と共に連続状態の同一傾斜面を形成している〔図１０（Ｂ）参照〕。その傾斜角度は、屋根勾配と略一致するようにして形成されている。この第２実施形態における固定押え片１４ａ、立上り片１４ｂ及び底片１４ｃとからなり、これらが断面略Ｚ字形状又は略乙字形状をなしている〔図１１（Ｂ），図１２（Ｂ）等参照〕。
【００３８】
次に、接合部材Ｃ2 には、金属屋根Ａの屋根板材Ａ1 ，Ａ1 ，…の形状，構造等に応じて複数の実施形態が存在する。まず、第１実施形態の接合部材Ｃ2 としては、図１乃至図７及び図１４，図１５に示すように、嵌合タイプの折板屋根に適応するものであって、隣接する屋根板材Ａ1 ，Ａ1 同士をキャップ材３ｂを介して嵌合連結することによって構成される嵌合継手部３に対応するものである。この嵌合継手部３が連結継手部Ｔとして前記接合部材Ｃ2 の装着に使用される。
【００３９】
その接合部材Ｃ2 は図１５（Ａ）乃至（Ｃ）に示すように、平坦状の支持上面部１８の幅方向両端箇所から挟持部１９，１９が左右対称に形成されている。前記支持上面部１８には、前記固定用螺子具１６の螺子軸部１６ａが垂直状に装着されている。両挟持部１９，１９にて前記嵌合タイプの金属屋根Ａのキャップ材３ｂの両嵌合側片３ｂ2 ，３ｂ2 を挟持するとともに、前記挟持用屈曲片１９ａ，１９ａにて嵌合屈曲片３ｂ3 ，３ｂ3 に食い込むようにして設置することができる。
【００４０】
前記両挟持部１９，１９には、締付具２０が装着されている。該締付具２０は、ボルト２０ａ・ナット２０ｂであり、そのボルト２０ａが前記両挟持部１９，１９に形成された貫通孔を貫通しており、そのボルト２０ａの螺子部に螺合された前記ナット２０ｂを締め付けることにより、前記両挟持部１９，１９の間隔が狭くなり、前記挟持用屈曲片１９ａ，１９ａが相互に近接するものである。
【００４１】
次に、第２実施形態の接合部材Ｃ2 としては、図１６（Ａ）乃至（Ｅ）に示すように、屋根板材Ａ1 ，Ａ1 同士の馳締部４に対応するものである。この馳締部４が連結継手部Ｔとして第２実施形態の接合部材Ｃ2 の装着に使用される。その接合部材Ｃ2 は、図１６（Ｂ）乃至（Ｅ）に示すように、主に支持上面部１８，挟持部１９，締付具２０及び支持脚部２１等から構成されている。その支持上面部１８は、長方形又は正方形等の方形状に形成され、板部材としたものであり、その支持上面部１８の下面側に前記挟持部１９，１９が左右対称に形成されている。
【００４２】
この挟持部１９，１９は、図１６（Ａ）に示すように、前記馳締部４の首部４ｃを挟持するものであり、その挟持部１９，１９は、板状をなし、その下端には、互いに内方に向かって略直角状に屈曲形成された挟持用屈曲片１９ａ，１９ａが形成されている。そして、該挟持用屈曲片１９ａ，１９ａが相互に近接し、その挟持用屈曲片１９ａ，１９ａの先端同士で前記馳締部４の首部４ｃ箇所を挟持することができる。
【００４３】
前記両挟持部１９，１９の挟持用屈曲片１９ａ，１９ａは、長手方向に適宜の長さを有して形成されたものであり、特に前記馳締部４の首部４ｃの両側面は、前記両挟持部１９，１９によって、略線接触状態で挟持される。これによって、馳締部４に対して両挟持部１９，１９の接触が広範囲となり、従来タイプにみられるように、ボルトの先端部で首部４ｃを押圧して固定する場合よりも極めて強固なる支持固定とすることができるものである。その両挟持部１９，１９にはボルト２０ａ・ナット２０ｂからなる締付具２０によって締め付けられる。
【００４４】
また、前記支持上面部１８の下面側には支持脚部２１が設けられている。該支持脚部２１は、略門形状に形成されたものであり、４本の脚柱２１ａ，２１ａ，…のそれぞれの下端には設置部２１ｂ，２１ｂ，…が形成されたものである。全脚柱２１ａ，２１ａ，…は、支持上面部１８の下面側の４つの角部箇所に位置して垂下状に形成され、前記挟持部１９，１９の周囲を囲むようにして配置されている。その設置部２１ｂ，２１ｂ，…は、前記脚柱２１ａ，２１ａ，…の上下方向に対して、直角状に形成されている。その脚柱２１ａ，２１ａ，…は、前記馳締部を跨ぐようにして配置され、その設置部２１ｂ，２１ｂ，…は、金属屋根Ａの頂部１ｂに設置される。前記支持上面部１８には、固定用螺子具１６の螺子軸部１６ａが植設されている。
【００４５】
次に、第３実施形態の接合部材Ｃ2 は、図１８に示すように、前記金属屋根Ａを瓦棒葺屋根とし、その瓦棒部６に適用されるものである。この瓦棒部６が連結継手部Ｔとして、第３実施形態の接合部材Ｃ2 の装着に利用される。この第３形態の接合部材Ｃ2 は、支持上面部１８の幅方向両側より挟持部１９，１９が形成され、該挟持部１９，１９を介して瓦棒部６を挟持し、固定するものである。
【００４６】
次に、第４実施形態の接合部材Ｃ2 は、図１７に示すように、フラット屋根の立馳構造の立馳締部５に適用されるものである。この立馳締部５が連結継手部Ｔとして、第４実施形態の接合部材Ｃ2 の装着に利用される。この支持具Ｃにおいて、支持上面部１８は、比較的狭幅の長方形状に形成されたものであり、支持上面部１８の両長辺から脚側部２４，２４が形成され、前記支持上面部１８と両脚側部２４，２４によって鞍形状となっている。その両脚側部２４，２４間に左右対称１組の挟持部１９，１９が配置されている。該挟持部１９，１９は、前記立馳締部５の下方の括れ部を挟持して、締付具２０により両脚側部２４，２４とともに、前記挟持部１９，１９が締め付けられる。また図１７（Ａ）に示すように、挟持部１９，１９の上部箇所が当接して、両挟持部材１９，１９の間隔を常時一定にすることができるものである。
【００４７】
なお、前記折板屋根において、屋根板材Ａ1 の山形部１が略台形山形状に形成され、幅方向に隣接する屋根板材Ａ1 ，Ａ1 の山形部１，１同士を重合させて連結する重ねタイプのものが存在する。この重ねタイプの折板屋根では、図１９，図２０に示すように、前記支持具Ｃは、通し支持部材Ｃ1 のみが使用され、前記接合部材Ｃ2 は不要となる。この場合には、隣接する屋根板材Ａ1 ，Ａ1 における山形部１，１同士の重合箇所が連結継手部Ｔとなる。
【００４８】
そして、重合された山形部１，１を下方側から支持する受金具に設けられた緊結ボルトとしての固定用螺子具１６の螺子軸部１６ａがその重合する山形部１，１の頂部を貫通し、該頂部より突出した螺子軸部１６ａが利用され、前記通し支持部材Ｃ1 が重合された山形部１，１の頂部にナット１６ｂにより固着される〔図２０（Ａ），（Ｂ）参照〕。このようにして、連結継手部Ｔとした山形部１，１の重合箇所に前記通し支持部材Ｃ1 が適宜の間隔で装着され、植栽部支持体Ｂが配置固定されてゆくものである。
【００４９】
さらに、図２１に示すように、前記重合された山形部１，１の頂部から突出する固定用螺子具１６の螺子軸部１６ａと、前記通し支持部材Ｃ1 の連結底部１２との間にジョイント部材２５が装着される実施例も存在する。該ジョイント部材２５の第１実施例としては、図２１（Ａ），（Ｂ）に示すように、円筒形状に形成され、その長手方向の一端の側面から長手方向に沿って内螺子部２５ａが形成されたものである。該内螺子部２５ａは、前記螺子軸部１６ａと螺合することができる。
【００５０】
前記内螺子部２５ａは、ジョイント部材２５の長手方向に沿って形成されると共に、その長手方向両端箇所を貫通形成されている。そのジョイント部材２５が前記重合された山形部１，１の頂部から突出する前記螺子軸部１６ａに前記内螺子部２５ａを螺合させて、ジョイント部材２５を重合された山形部１，１の上層側頂部に略直立状態に装着させる。そして、その直立状に装着されたジョイント部材２５の上端に前記通し支持部材Ｃ1 が載置され、連結底部１２に形成されたボルト孔１２ａにボルトを差し込み、前記内螺子部２５ａに螺合させて、その通し支持部材Ｃ1 を略直立状態としたジョイント部材２５上端に固着させるものである。
【００５１】
前記ジョイント部材２５の第２実施例としては、図２１（Ｃ）に示すように、前記ジョイント部材２５の長手方向の一端側面から長手方向の略中間位置まで内螺子部２５ａが形成され、またジョイント部材２５の長手方向の他端側面からその長手方向に沿ってジョイント螺子軸部２５ｂが形成されたものである。該ジョイント螺子軸部２５ｂは、前記固定用螺子具１６の螺子軸部１６ａと同一サイズの螺子が好適である。そして、第１実施例のジョイント部材２５と同様に内螺子部２５ａを利用して、重合された山形部１，１の頂部から突出する固定用螺子具１６の螺子軸部１６ａに螺合されて、略直立状に装着され、そのジョイント部材２５の上端に位置するジョイント螺子軸部２５ｂを前記通し支持部材Ｃ1 の連結底部１２のボルト孔１２ａに挿通させると共に、ナットにて固着させる。
【００５２】
このようにして、重ねタイプの屋根板材Ａ1 からなる金属屋根Ａにジョイント部材２５を介して通し支持部材Ｃ1 が固着されることもできる。上記ジョイント部材２５を使用する実施形態では、支持具Ｃの通し支持部材Ｃ1 を構成する高位支持部１０及び低位支持部１１における底片部１０ｄ及び底片部１１ｄのそれぞれの内端縁の位置は、前記連結底部１２の下面側にて重なる位置となるように形成されている。そして、通し支持部材Ｃ1 がジョイント部材２５に支持される構造は、前記連結底部１２の下面側とジョイント部材２５の上端との間に前記底片部１０ｄ及び底片部１１ｄのそれぞれの内端縁箇所が挟持されて固定されるものである。
【００５３】
すなわち、通し支持部材Ｃ1 の連結底部１２，底片部１０ｄ及び底片部１１ｄがジョイント部材２５の上端箇所で固定されることになる。このような固定構造によって、前記通し支持部材Ｃ1 はジョイント部材２５に安定した状態で固定されることができる。なお、前記ジョイント部材２５を使用する実施例では、そのジョイント部材２５と山形部１，１の重合箇所の頂部との間に座金２７及びパッキン（シール）材２８が配置装着されることもある。
【００５４】
次に、栽培層を構成する植栽部２６は、植栽層２６ａと土壌層２６ｂとから構成されている。そして、植栽層２６ａと土壌層２６ｂとはシート状に形成されたものである。また前記植栽層２６ａは、植栽マット材としたもので、繊維質の材質から構成され、平面的に見て略正方形或いは長方形の偏平布団状に形成されたものであり、植物が成長していくものである。また、土壌層２６ｂは、繊維質以外のもので木質のものや石質のものであっても構わない。また、前記植栽部２６は、予め所定期間成長済みとしたものが使用されることもある。これによって、緑化屋根の施工が完了するとともに、成長した植物の鑑賞がすぐにできるものであり、従来のように、緑化屋根の基礎ができたとしても、植物の成長が遅いために、本格的な緑化屋根の完成がさらに遅れるという不都合を解消することができる。
【００５５】
次に、第１実施形態の支持具Ｃによって植栽部支持体Ｂを金属屋根Ａに設置する施工を説明する。その支持具Ｃは、前記金属屋根Ａを構成する複数の屋根板材Ａ1 ，Ａ1 ，…の山形部１，１同士の連結箇所である連結継手部Ｔの頂部に装着される。第１実施形態の支持具Ｃは、緩傾斜の屋根勾配を有する折板タイプの金属屋根Ａに適応する。まず、前記支持具Ｃの接合部材Ｃ2 は、その挟持部１９，１９を金属屋根Ａの連結継手部Ｔ箇所に挟持するようにして装着される。
【００５６】
その接合部材Ｃ2 は、前記金属屋根Ａに複数並設された連結継手部Ｔ，Ｔ，…のそれぞれに、適宜の間隔をおいて複数個が装着される。次に、通し支持部材Ｃ1 がその金属屋根Ａの勾配方向と直交する方向、すなわち連結継手部Ｔの長手方向と直交する方向となるようにして、前記接合部材Ｃ2 ，Ｃ2 ，…の支持上面部１８，１８，…に配置固着されてゆく〔図７（Ａ）参照〕。このとき、前記支持上面部１８には、前記通し支持部材Ｃ1 における高位支持部１０の底片部１０ｄ，低位支持部１１の底片部１１ｄ及び前記連結底部１２が当接され、通し支持部材Ｃ1 の設置状態を安定させるものである。
【００５７】
その通し支持部材Ｃ1 と接合部材Ｃ2 との固着には、固定用螺子具１６の螺子軸部１６ａ及びナット１６ｂが使用される。このようにして、前記通し支持部材Ｃ1 は、金属屋根Ａの勾配方向、すなわち連結継手部Ｔの長手方向に直交する構成となる。そして、これを順次繰り返して、複数の通し支持部材Ｃ1 ，Ｃ1 ，…が所定間隔をおいて平行に配置固着されてゆく〔図６（Ａ）参照〕。次に、その勾配方向において隣接する通し支持部材Ｃ1 ，Ｃ1 間に前記植栽部支持体Ｂが配置される〔図６（Ｂ）参照〕。このとき、植栽部支持体Ｂの前方縦立上り側部８ａ側が水下側の通し支持部材Ｃ1 の高位支持部１０の高位受面部１０ａに載置され、後方縦立上り側部８ｂ側が水上側の通し支持部材Ｃ1 の低位支持部１１の低位受面部１１ａに載置され、その床面部７は水平状（略水平状を含む）となるように設置される。
【００５８】
したがって、前記連結継手部Ｔの長手方向に沿って複数個が適宜の間隔をおいて装着された支持具Ｃ，Ｃ，…において、その隣接する支持具Ｃ，Ｃ同士の高位受面部１０ａと低位受面部１１ａとは、同一高さとなるように設置される。そして、第１実施形態の支持具Ｃでは、前記高位受面部１０ａ及び低位受面部１１ａにそれぞれに固定部材１４が配置され、その植栽部支持体Ｂの前方縦立上り側部８ａ及び後方縦立上り側部８ｂが前記固定部材１４を介して固定される。その高位受面部１０ａ及び低位受面部１１ａに対する前記固定部材１４の固定は、螺子軸１７ａ及びナット１７ｂが使用される。
【００５９】
第１実施形態の支持具Ｃは、緩傾斜の屋根勾配を有する金属屋根Ａであり、その金属屋根Ａに前記支持具Ｃを介して配置された複数の植栽部支持体Ｂ，Ｂ，…は、略階段状に配置される。或いは段々畑状に配置される。第１実施形態の支持具Ｃでは、前述したように、その高位受面部１０ａと低位受面部１１ａとの段差（高低差）の量は小さく設定され、前記植栽部支持体Ｂの立上り側部（横立上り側部９，前方縦立上り側部８ａ，後方縦立上り側部８ｂ）の高さよりも小さく設定されたものである。したがって、屋根勾配に沿って階段状に配置された複数の植栽部支持体Ｂ，Ｂ，…の隣接する植栽部支持体Ｂ，Ｂにおいて、その対向する前方縦立上り側部８ａと後方縦立上り側部８ｂとが高さ方向において重なり合うことになる。これによって、階段状に配置された複数の植栽部支持体Ｂ，Ｂ，…は、緩やかな階段状態を構成することができる。
【００６０】
次に、第２実施形態の支持具Ｃによって植栽部支持体Ｂを金属屋根Ａに設置する施工を説明する。第２実施形態の支持具Ｃは、通常又は急傾斜の屋根勾配を有する瓦棒タイプ等の金属屋根Ａに適応する。前記支持具Ｃの接合部材Ｃ2 は、第１実施形態の支持具Ｃと同様に、その挟持部１９，１９を金属屋根Ａの瓦棒部６等の連結継手部Ｔ箇所に挟持するようにして装着される。また、前記接合部材Ｃ2 は、複数並設された連結継手部Ｔ，Ｔ，…のそれぞれに、適宜の間隔をおいて複数個が装着され、次いで、前記通し支持部材Ｃ1 がその金属屋根Ａの勾配方向、すなわち連結継手部Ｔの長手方向と直交する方向となるようにして、前記接合部材Ｃ2 ，Ｃ2 ，…上に固定用螺子具１６の螺子軸部１６ａ及びナット１６ｂを介して配置固着されてゆく。
【００６１】
その連結継手部Ｔの長手方向に適宜の間隔を有して装着された複数個の支持具Ｃ，Ｃ，…において、水上側に位置する支持具Ｃの通し支持部材Ｃ1 の低位受面部１１ａと挟持面１５との間に前記植栽部支持体Ｂの後方縦立上り側部８ｂ側が挿入されると共に、水下側に隣接する支持具Ｃの通し支持部材Ｃ1 の高位受面部１０ａに前記植栽部支持体Ｂの前方縦立上り側部８ａ側が載置され、その前方縦立上り側部８ａ側が前記固定部材１４により固定される。第２実施形態の支持具Ｃは、通常勾配（急勾配も含む）を有する金属屋根Ａに適応されるものであり、複数の植栽部支持体Ｂ，Ｂ，…によって略階段状又は段々畑状に配置される。
【００６２】
第２実施形態の支持具Ｃでは、前述したように、その高位受面部１０ａと低位受面部１１ａとの段差（高低差）の量が大きく設定され、前記植栽部支持体Ｂの立上り側部（横立上り側部９，前方縦立上り側部８ａ，後方縦立上り側部８ｂ）の高さよりも大きく設定される。したがって、屋根勾配に沿って階段状に配置された複数の植栽部支持体Ｂ，Ｂ，…の隣接する植栽部支持体Ｂ，Ｂにおいて、後方縦立上り側部８ｂの上端よりも上方に対向する前方縦立上り側部８ａの下端が位置することになる。これによって、複数の植栽部支持体Ｂ，Ｂ，…による階段状又は段々畑状の構造は、急勾配となる。なお、本発明において、特に急勾配の金属屋根Ａでは、設置される植栽部支持体Ｂの床面部７が水平状に設定されるために、通し支持部材Ｃ1 がその屋根勾配に応じて適確寸法となるように形成されることが好ましい。また、植栽部支持体Ｂに設置された前記植栽部２６には、飛散防止ネットが被覆され、植栽部支持体Ｂから脱落することを防止することもある。
【００６３】
次に、金属屋根Ａの種々のタイプについて説明する。まず、折板タイプから説明する。図１４乃至図１５は、嵌合タイプであり、その屋根板材Ａ1 は、略平坦状の底部２の幅方向両側に半山形部１ａが形成されている。その半山形部１ａの上端に屋根板材Ａ1 の外方に向かって略水平状又は少し上向き傾斜状となる頂部１ｂが形成され、該頂部１ｂの外端より被嵌合屈曲部３ａが形成されている。該被嵌合屈曲部３ａは、上方に向かって略逆「Ｌ」字形状となる屈曲片３ａ1 が形成されている。該屈曲片３ａ1 の端部から前記底部２側に向かって下向き傾斜状に被嵌合片３ａ2 が形成され、該被嵌合片３ａ2 の下端には、内部側に向かって円弧状となるようにロール成形された被嵌合端縁３ａ3 が形成されている。
【００６４】
その隣接する屋根板材Ａ1 ，Ａ1 の対向する被嵌合屈曲部３ａ，３ａ上にキャップ材３ｂが嵌合固定される〔図１５（Ａ）参照〕。該キャップ材３ｂは、上部３ｂ1 の幅方向両側に外方下向きに傾斜する嵌合側片３ｂ2 ，３ｂ2 が形成されている。該嵌合側片３ｂ2 ，３ｂ2 の上下方向の略中間には、嵌合屈曲片３ｂ3 ，３ｂ3 が形成されている。また、両屋根板材Ａ1 ，Ａ1 の対向する被嵌合屈曲部３ａ，３ａ間には、折板用吊子が受金具とともに設置されている。この被嵌合屈曲部３ａ，３ａに前記キャップ材３ｂが嵌合固定される。この被嵌合屈曲部３ａ，３ａとキャップ材３ｂとにより、連結継手部Ｔが構成される。
【００６５】
第２の折板は、馳締タイプで、図１６（Ａ）に示すように、頂部１ｂの外端から下馳部４ａが形成され、他方側の半山形部１ａの頂部１ｂには上馳部４ｂが形成されている。前記下馳部４ａ及び上馳部４ｂは、ともに円弧状の下馳片４ａ1 及び上馳片４ｂ1 を有し、且つ前記半山形部１ａの頂部１ｂから立上り片４ａ2 及び立上り片４ｂ2 が形成され、該立上り片４ａ2 及び立上り片４ｂ2 が近接対向して馳締部４の首部４ｃが形成される。そして、隣接する屋根板材Ａ1 ，Ａ1 同士が馳締用吊子を介して下馳部４ａと上馳部４ｂとが重合状態で馳締めされて馳締部４が構成される。この馳締タイプの下馳片４ａ1 及び上馳片４ｂ1 は角形も存在する。
【００６６】
次に、図１７は金属屋根Ａをフラットタイプとしたものであって、フラット状の屋根板材Ａ1 から施工されるものであり、半山形部１ａが形成されず、その底部２の両側に、略垂直状に立下馳部５ａ及び立上馳部５ｂが形成されている。そして、隣接する屋根板材Ａ1 ，Ａ1 同士が馳締め重合されて、立馳締部５が形成され、フラットタイプの金属屋根Ａが施工される。
【００６７】
また、第２のフラットタイプの金属屋根Ａは、図１８（Ａ）に示すように、瓦棒葺きタイプであって、屋根板材Ａ1 と瓦棒キャップ材と、瓦棒吊子６ｃとから構成され、その屋根板材Ａ1 は、底部２の幅方向両側に立上片６ａが形成されている。そして、隣接する瓦棒タイプとした屋根板材Ａ1 ，Ａ1 間に瓦棒吊子６ｃが配置され、該瓦棒吊子６ｃ箇所に瓦棒キャップ材６ｂが被せられ、その対向する両立上片６ａ，６ａと瓦棒キャップ材６ｂの幅方向両側箇所とが馳締め状態で固着され、瓦棒部６が構成される。
【図面の簡単な説明】
【００６８】
【図１】第１実施形態の支持具を用いた緑化屋根の縦断側面略示図である。
【図２】第１実施形態の支持具を用いた緑化屋根の略示斜視図である。
【図３】第１実施形態の支持具を用いた緑化屋根の要部拡大斜視図である。
【図４】第１実施形態の支持具を用いた緑化屋根の要部縦断側面拡大図である。
【図５】（Ａ）は第１実施形態の通し支持部材の斜視図、（Ｂ）は第１実施形態の通し支持部材に対応する固定部材の斜視図である。
【図６】（Ａ）は第１実施形態の支持具によって植栽部支持体を配置しようとする状態を示す工程図、（Ｂ）は第１実施形態の支持具に植栽部支持体を配置した状態を示す工程図である。
【図７】（Ａ）は第１実施形態の支持具を連結継手部に装着する状態を示す工程図、（Ｂ）は植栽部支持体を第１実施形態の支持具に固定部材を介して固定する状態を示す工程図である。
【図８】第２実施形態の支持具を用いた緑化屋根の縦断側面略示図である。
【図９】第２実施形態の支持具を用いた緑化屋根の略示斜視図である。
【図１０】第２実施形態の支持具を用いた緑化屋根の要部拡大斜視図である。
【図１１】（Ａ）は第２実施形態の支持具を用いた本発明の緑化屋根の要部縦断側面拡大図、（Ｂ）は（Ａ）の要部拡大図である。
【図１２】（Ａ）は第２実施形態の通し支持部材の斜視図、（Ｂ）は第２実施形態の通し支持部材に対応する固定部材の斜視図である。
【図１３】（Ａ）は第２実施形態の支持具によって植栽部支持体を配置しようとする状態を示す工程図、（Ｂ）は第２実施形態の支持具に植栽部支持体を配置した状態を示す工程図である。
【図１４】嵌合タイプの金属屋根に対応する支持具を装着した状態の縦断正面略示図である。
【図１５】（Ａ）は本発明における嵌合タイプの金属屋根に対応する支持具を装着した状態の拡大縦断正面図、（Ｂ）は嵌合タイプの金属屋根に対応する支持具の正面図、（Ｃ）は（Ｂ）の平面図である。
【図１６】（Ａ）は本発明における馳締タイプの金属屋根に対応する支持具を装着した状態の縦断正面図、（Ｂ）は馳締タイプの金属屋根に対応する支持具の正面図、（Ｃ）は（Ｂ）における挟持部を閉じた状態の正面図、（Ｄ）は（Ｃ）の側面図、（Ｅ）は（Ｂ）の平面図である。
【図１７】（Ａ）本発明における立馳タイプの金属屋根に対応する支持具を装着した状態の縦断正面図、（Ｂ）は立馳タイプの金属屋根に対応する支持具の斜視図である。
【図１８】（Ａ）本発明における瓦棒タイプの金属屋根に対応する支持具を装着した状態の縦断正面図、（Ｂ）は瓦棒タイプの金属屋根に対応する支持具の斜視図である。
【図１９】（Ａ）本発明における重ね折板タイプの金属屋根に対応する支持具を装着した状態の縦断側面図、（Ｂ）は（Ａ）の正面略示図である。
【図２０】（Ａ）本発明における重ね折板タイプの金属屋根に対応する支持具を装着した状態の拡大縦断側面図、（Ｂ）は（Ａ）の正面図である。
【図２１】（Ａ）本発明における重ね折板タイプの金属屋根に対応する支持具とジョイント部材を装着した状態の拡大縦断側面図、（Ｂ）は（Ａ）の要部拡大図、（Ｃ）は別の実施形態のジョイント部材を装着した状態の要部拡大図である。
【図２２】植栽部入り植栽部支持体の斜視図である。
【図２３】トレー状支持体の一部切除した斜視図である。
【符号の説明】
【００６９】
Ａ…金属屋根、Ａ1 …屋根板材、Ｂ…植栽部支持体、Ｃ…支持具、
Ｃ1 …通し支持部材、Ｃ2 …接合部材、Ｔ…連結継手部、３…嵌合継手部、
３ａ…被嵌合屈曲部、３ｂ…キャップ材、４ａ…下馳部、４ｂ…上馳部、４…馳締部、
５…立馳締部、６…瓦棒部、７…床面部、１０…高位支持部、１１…低位支持部、
１４…固定部材、１５…挟持面、１９…挟持部、１６…固定用螺子具、ｈ…水抜き孔、
２５…ジョイント部材、２５ａ…内螺子部、２６…植栽部。
【図１】
2006328773.tif 000003
【図２】
2006328773.tif 000004
【図３】
2006328773.tif 000005
【図４】
2006328773.tif 000006
【図５】
2006328773.tif 000007
【図６】
2006328773.tif 000008
【図７】
2006328773.tif 000009
【図８】
2006328773.tif 000010
【図９】
2006328773.tif 000011
【図１０】
2006328773.tif 000012
【図１１】
2006328773.tif 000013
【図１２】
2006328773.tif 000014
【図１３】
2006328773.tif 000015
【図１４】
2006328773.tif 000016
【図１５】
2006328773.tif 000017
【図１６】
2006328773.tif 000018
【図１７】
2006328773.tif 000019
【図１８】
2006328773.tif 000020
【図１９】
2006328773.tif 000021
【図２０】
2006328773.tif 000022
【図２１】
2006328773.tif 000023
【図２２】
2006328773.tif 000024
【図２３】
2006328773.tif 000025